(57)【特許請求の範囲】
【請求項１】
パチンコ機で使用する遊技玉を利用者ごとに作成した個人口座に貯玉として保管する貯玉管理装置であって、
貯玉の提供元となる提供元利用者の提供元携帯端末から通知された、前記提供元利用者、貯玉の提供先となる提供先利用者、および提供数を含む玉提供指示を受け付けて、前記玉提供指示と対応する玉提供用認証情報を作成し、前記提供先利用者の提供先携帯端末へ通知する提供指示受付部と、
前記提供先利用者の台間機から通知された前記玉提供用認証情報の正当性が確認された場合、前記玉提供用認証情報と対応する前記玉提供指示に基づいて、前記提供元利用者の個人口座に保管されている貯玉のうちから前記提供数分の貯玉を払い出し、新たな持玉として前記提供先利用者の台間機へ供給する貯玉提供部と
を備えることを特徴とする貯玉管理装置。
【請求項２】
請求項１に記載の貯玉管理装置において、
前記提供指示受付部は、前記玉提供指示を受け付けた際、前記提供元利用者の個人口座のうちから前記提供数分の貯玉を提供用貯玉として予め拘束し、
前記貯玉提供部は、前記貯玉を前記台間機へ供給する際、前記提供元利用者の個人口座に保管されている貯玉のうちから、前記提供用貯玉として拘束しておいた貯玉を払い出して前記台間機へ供給する
ことを特徴とする貯玉管理装置。
【請求項３】
パチンコ機で使用する遊技玉を利用者ごとに作成した個人口座に貯玉として保管する貯玉管理装置と、
前記利用者の間で前記貯玉を提供する際に、前記利用者のそれぞれが使用する携帯端末と間で前記提供に関する各種情報をやり取りする利用者管理装置とを備え、
前記利用者管理装置は、
貯玉の提供先となる提供先利用者の提供先携帯端末から通知された、前記提供先利用者、貯玉の提供元となる提供元利用者、および提供数を含む玉提供要求に応じて、前記提供元利用者の提供元携帯端末へ玉提供依頼を通知する提供依頼通知部と、
前記玉提供依頼に応じて前記提供元携帯端末から通知された玉提供受諾に基づいて、前記提供元利用者、前記提供先利用者、および提供数を含む玉提供指示を前記貯玉管理装置へ通知する玉提供指示部とを備え、
前記貯玉管理装置は、
前記利用者管理装置からの前記玉提供指示を受け付けて、前記提供元利用者と前記提供先利用者の個人口座間で貯玉を転送するための転送用口座を作成し、前記提供元利用者の個人口座に保管されている貯玉のうちから前記提供数分の貯玉を前記転送用口座へ移動させる提供指示受付部と、
前記転送用口座に保管されている前記提供数分の貯玉を前記提供先利用者の個人口座へ移動させた後、前記提供先利用者の個人口座に保管されている貯玉を払い出して、前記提供先利用者の台間機へ新たな持玉として供給する貯玉提供部とを備える
ことを特徴とする貯玉提供システム。
【請求項４】
請求項３に記載の貯玉提供システムにおいて、
前記提供指示受付部は、前記転送用口座に対する前記貯玉の移動完了に応じて玉提供受付完了を前記玉提供指示部へ通知し、
前記玉提供指示部は、前記提供指示受付部から通知された前記玉提供受付完了を、前記提供先携帯端末へ通知し、
前記貯玉提供部は、前記玉提供受付完了に応じて前記提供先携帯端末から通知された玉供給要求に応じて、前記転送用口座から前記提供先利用者の個人口座へ前記提供数分の貯玉を移動させる
ことを特徴とする貯玉提供システム。
【請求項５】
請求項４に記載の貯玉提供システムにおいて、
前記貯玉提供部は、前記提供先携帯端末から通知された玉提供中止指示に応じて、前記転送用口座に保管されている前記提供数分の貯玉を、前記提供元利用者の個人口座へ返却することを特徴とする貯玉提供システム。
【請求項６】
請求項３〜請求項５のいずれかに記載の貯玉提供システムにおいて、
前記転送用口座は、前記玉提供指示に応じて前記提供元利用者と前記提供先利用者の個人口座間で貯玉を転送するためにのみ用いる暫定的な口座からなり、
前記提供指示受付部は、前記利用者管理装置からの前記玉提供指示を受け付けて前記玉提供指示に対応する前記転送用口座を新規に作成し、
前記貯玉提供部は、前記提供先利用者の個人口座に対する前記貯玉の移動完了に応じて前記転送用口座を削除することを特徴とする貯玉提供システム。
【発明の詳細な説明】
【技術分野】
【０００１】
本発明は、パチンコ機で使用する遊技玉を貯玉として保管する貯玉管理技術において、特に貯玉を他の利用者へ提供するための貯玉提供技術に関する。
【背景技術】
【０００２】
一般に、パチンコ機で遊技する際、予め度数がチャージされている会員カードやプリペイドカードなどの利用者カードを、利用者が台間機に挿入し、その後に遊技玉の投出操作を行うことにより、借り受けた遊技玉が台間機からパチンコ機へ供給されることになる。なお、会員カードには、事前に台間機やカード発券機で、現金を投入して度数をチャージすることができる。したがって、遊技中に持玉がなくなっても、台間機に投入した遊技用カードの度数がなくなるまで、台間機から遊技玉を借り受けて遊技を継続することができる。
【０００３】
また、貯玉システムが導入されている遊技店では、遊技終了時に余った遊技玉が、会員カードと対応付けて貯玉として保管されている。したがって、貯玉システムに貯玉が保管されていれば、会員カードを台間機に投入することにより、会員カードと対応する貯玉を遊技玉として再利用することができる。このため、遊技中に持玉がなくなっても、貯玉システムに貯玉があれば、台間機で再利用操作を行うことにより、その貯玉を台間機からパチンコ機へ供給することもできる。
【０００４】
従来、このような貯玉システムにおいて、複数の利用客でグループを構成して共有口座を作成し、グループメンバーである各利用客の個人口座と共有口座との間で貯玉を移動可能とする技術が提案されている（例えば、特許文献１−２など参照）。これにより、遊技中に持玉がなくなって、自己の個人口座の貯玉もない場合でも、共有口座の貯玉を自己の個人口座に移動させることにより、遊技を継続させることができる。
【先行技術文献】
【特許文献】
【０００５】
【特許文献１】特開２０１１−７２６２３号公報
【特許文献２】特開２００４−１６６７８２号公報
【発明の概要】
【発明が解決しようとする課題】
【０００６】
しかしながら、このような従来技術では、グループメンバー間で共有口座の貯玉を利用できるものの、共有口座に貯玉があることが前提となっているため、共有口座に貯玉がない場合には、共有口座のグループメンバーに対して共有口座への貯玉提供を依頼する必要がある。この際、利用者が遊技店内でグループメンバーを探し出して依頼する必要があり、貯玉の提供元および提供先となる利用者における負担が大きいという問題点があった。
また、貯玉の移動については遊技店の端末で操作入力する必要があるため、提供元利用者が遊技店にいない場合には、貯玉を共有口座に移動できないという問題点があった。
【０００７】
本発明はこのような課題を解決するためのものであり、少ない利用者負担により貯玉を利用者間でやり取りできる貯玉提供技術を提供することを目的としている。
【課題を解決するための手段】
【０００８】
このような目的を達成するために、本発明にかかる貯玉管理装置は、パチンコ機で使用する遊技玉を利用者ごとに作成した個人口座に貯玉として保管する貯玉管理装置であって、貯玉の提供元となる提供元利用者の提供元携帯端末から通知された、前記提供元利用者、貯玉の提供先となる提供先利用者、および提供数を含む玉提供指示を受け付けて、前記玉提供指示と対応する玉提供用認証情報を作成し、前記提供先利用者の提供先携帯端末へ通知する提供指示受付部と、前記提供先利用者の台間機から通知された前記玉提供用認証情報の正当性が確認された場合、前記玉提供用認証情報と対応する前記玉提供指示に基づいて、前記提供元利用者の個人口座に保管されている貯玉のうちから前記提供数分の貯玉を払い出し、新たな持玉として前記提供先利用者の台間機へ供給する貯玉提供部とを備えている。
【０００９】
また、本発明にかかる上記貯玉管理装置の一構成例は、前記提供指示受付部が、前記玉提供指示を受け付けた際、前記提供元利用者の個人口座のうちから前記提供数分の貯玉を提供用貯玉として予め拘束し、前記貯玉提供部は、前記貯玉を前記台間機へ供給する際、前記提供元利用者の個人口座に保管されている貯玉のうちから、前記提供用貯玉として拘束しておいた貯玉を払い出して前記台間機へ供給するようにしたものである。
【００１０】
また、本発明にかかる貯玉提供システムは、パチンコ機で使用する遊技玉を利用者ごとに作成した個人口座に貯玉として保管する貯玉管理装置と、前記利用者の間で前記貯玉を提供する際に、前記利用者のそれぞれが使用する携帯端末と間で前記提供に関する各種情報をやり取りする利用者管理装置とを備え、前記利用者管理装置は、貯玉の提供先となる提供先利用者の提供先携帯端末から通知された、前記提供先利用者、貯玉の提供元となる提供元利用者、および提供数を含む玉提供要求に応じて、前記提供元利用者の提供元携帯端末へ玉提供依頼を通知する提供依頼通知部と、前記玉提供依頼に応じて前記提供元携帯端末から通知された玉提供受諾に基づいて、前記提供元利用者、前記提供先利用者、および提供数を含む玉提供指示を前記貯玉管理装置へ通知する玉提供指示部とを備え、前記貯玉管理装置は、前記利用者管理装置からの前記玉提供指示を受け付けて、前記提供元利用者と前記提供先利用者の個人口座間で貯玉を転送するための転送用口座を作成し、前記提供元利用者の個人口座に保管されている貯玉のうちから前記提供数分の貯玉を前記転送用口座へ移動させる提供指示受付部と、前記転送用口座に保管されている前記提供数分の貯玉を前記提供先利用者の個人口座へ移動させた後、前記提供先利用者の個人口座に保管されている貯玉を払い出して、前記提供先利用者の台間機へ新たな持玉として供給する貯玉提供部とを備えている。
【００１１】
また、本発明にかかる上記貯玉提供システムの一構成例は、前記提供指示受付部が、前記転送用口座に対する前記貯玉の移動完了に応じて玉提供受付完了を前記玉提供指示部へ通知し、前記玉提供指示部は、前記提供指示受付部から通知された前記玉提供受付完了を、前記提供先携帯端末へ通知し、前記貯玉提供部は、前記玉提供受付完了に応じて前記提供先携帯端末から通知された玉供給要求に応じて、前記転送用口座から前記提供先利用者の個人口座へ前記提供数分の貯玉を移動させるようにしたものである。
【００１２】
また、本発明にかかる上記貯玉提供システムの一構成例は、前記貯玉提供部が、前記提供先携帯端末から通知された玉提供中止指示に応じて、前記転送用口座に保管されている前記提供数分の貯玉を、前記提供元利用者の個人口座へ返却するようにしたものである。
【００１３】
また、本発明にかかる上記貯玉提供システムの一構成例は、前記転送用口座が、前記玉提供指示に応じて前記提供元利用者と前記提供先利用者の個人口座間で貯玉を転送するためにのみ用いる暫定的な口座からなり、前記提供指示受付部は、前記利用者管理装置からの前記玉提供指示を受け付けて前記玉提供指示に対応する前記転送用口座を新規に作成し、前記貯玉提供部は、前記提供先利用者の個人口座に対する前記貯玉の移動完了に応じて前記転送用口座を削除するようにしたものである。
【発明の効果】
【００１４】
本発明によれば、提供元利用者が提供元携帯端末を操作して玉提供指示を通知し、提供先利用者が提供先携帯端末に通知された玉提供用認証情報を台間機に入力するという、極めて簡素な操作で、提供元利用者の貯玉が提供先利用者に提供されることになる。
したがって、提供元利用者が提供先利用者と同じ遊技店にいなくても、少ない利用者負担により貯玉を利用者間でやり取りすることが可能となる。このため、利用者の利便性が大幅に改善され、結果として遊技店における稼働率を向上することが可能となる。
【図面の簡単な説明】
【００１５】
【図１】第１の実施の形態にかかる貯玉提供システムの構成を示すブロック図である。
【図２】第１の実施の形態にかかる貯玉提供動作を示すシーケンス図である。
【図３】第２の実施の形態にかかる貯玉提供システムの構成を示すブロック図である。
【図４】第２の実施の形態にかかる貯玉提供動作を示すシーケンス図である。
【発明を実施するための形態】
【００１６】
次に、本発明の実施の形態について図面を参照して説明する。
［第１の実施の形態］
まず、図１を参照して、本発明の第１の実施の形態にかかる貯玉提供システム１について説明する。図１は、第１の実施の形態にかかる貯玉提供システムの構成を示すブロック図である。
【００１７】
この貯玉提供システム１は、パチンコ機Ｐが設置されている遊技店に導入されて、各利用者がそれぞれ個人口座に保管した貯玉を、利用者間でやり取りするためのシステムであり、貯玉管理装置１０と複数の台間機Ｄとから構成されている。
【００１８】
台間機Ｄは、遊技店のパチンコ機Ｐごとに併設されている台間機であり、このうち台間機ＤＡは、貯玉の提供先となる提供先利用者Ａが遊技中のパチンコ機ＰＡに併設された台間機を示している。
【００１９】
携帯端末Ｔは、各利用者が利用する携帯端末であり、このうち提供先携帯端末ＴＡは、貯玉の提供先となる提供先利用者Ａが利用する携帯端末、提供元携帯端末ＴＢは、貯玉の提供元となる提供元利用者Ｂが利用する携帯端末を示している。これら携帯端末Ｔは、携帯通信網やインターネットからなる通信網ＮＷを介して貯玉管理装置１０とデータ通信する機能を有している。
【００２０】
貯玉管理装置１０は、遊技店に設置されたサーバ装置からなり、通信回線Ｌ１を介して各台間機Ｄと接続されているとともに、通信回線Ｌ２を介して通信網ＮＷと接続されている。
【００２１】
貯玉管理装置１０には、貯玉管理機能として、予め登録された利用者ごとに作成した個人口座を用いて、利用者の持玉を貯玉として保管する機能と、台間機Ｄで貯玉再利用操作が行われた場合、台間機Ｄに投入されている会員カードのカード情報に基づいて、利用者の個人口座に保管されている貯玉を台間機Ｄへ新たな持玉として供給する機能とが設けられている。
【００２２】
本実施の形態は、このような貯玉管理装置１０に、貯玉提供機能を実現する機能部として、提供指示受付部１１と貯玉提供部１２とを新たに設けたものである。
【００２３】
提供指示受付部１１は、提供元利用者Ｂの提供元携帯端末ＴＢから通知された、貯玉の提供先となる提供先利用者Ａと提供数とを含む玉提供指示を受け付けて、玉提供指示と対応する固有の玉提供用認証情報を作成し、提供先利用者Ａの提供先携帯端末ＴＡへ通知する機能を有している。
【００２４】
貯玉提供部１２は、提供先利用者Ａの台間機ＤＡから通知された玉提供用認証情報の正当性が確認された場合、玉提供用認証情報と対応する玉提供指示に基づいて、提供元利用者Ｂの個人口座に保管されている貯玉のうちから提供数分の貯玉を払い出して、提供先利用者Ａの台間機ＤＡへ新たな持玉として供給する機能を有している。
【００２５】
提供先利用者Ａおよび提供元利用者Ｂの個人口座については、貯玉管理装置１０が提供する貯玉サービスに加入して予め作成したものを用いればよい。また、提供先携帯端末ＴＡおよび提供元携帯端末ＴＢの連絡先（アドレス）については、貯玉サービス加入時に登録しておいたものを用いてもよく、玉提供指示で指定されたものを用いてもよい。
【００２６】
［第１の実施の形態の動作］
次に、図２を参照して、本実施の形態にかかる貯玉提供システム１の動作について説明する。図２は、第１の実施の形態にかかる貯玉提供動作を示すシーケンス図である。
ここでは、提供先利用者Ａがパチンコ機ＰＡで遊技中に、提供元利用者Ｂから貯玉を提供してもらう場合を例として説明する。
【００２７】
なお、貯玉管理装置１０と提供先携帯端末ＴＡおよび提供元携帯端末ＴＢとの間でやり取りする各種情報については、一般的なメールやメッセージを用いるほか、貯玉管理装置１０のＷＥＢサービスを利用してもよく、さらには予め提供先携帯端末ＴＡや提供元携帯端末ＴＢに登録しておいた専用アプリを利用してもよい。
【００２８】
まず、提供先利用者Ａは、提供先携帯端末ＴＡを操作して、提供元利用者Ｂの提供元携帯端末ＴＢとの間で通話・メール・メッセージなどの通信を行うことにより、提供元利用者Ｂに対して玉提供を依頼する（ステップ１００）。なお、提供元利用者Ｂが提供先利用者Ａの近くにいる場合には、口頭で玉提供を依頼してもよい。
【００２９】
提供元利用者Ｂは、提供先利用者Ａからの玉提供依頼を受諾した場合、提供元携帯端末ＴＢを操作して、提供先利用者Ａ、提供元利用者Ｂ、および提供数を含む玉提供指示を、貯玉管理装置１０へ送信する（ステップ１０１）。
【００３０】
貯玉管理装置１０の提供指示受付部１１は、提供元携帯端末ＴＢから玉提供指示を受信して受け付け、玉提供指示で指定された提供元利用者Ｂの個人口座から、指定された提供数分を提供用貯玉として拘束する（ステップ１０２）。これにより、指定された提供数分の貯玉が実際に提供先利用者Ａに対して提供されるまで利用禁止状態となるため、実際の提供タイミングまでの間に貯玉残高が減って指定された提供数分を提供できなくなることを回避できる。なお、提供元利用者Ｂの貯提供数が指定された提供数分に満たない場合には、玉提供指示がキャンセルされ、その旨が提供元利用者Ｂの提供元携帯端末ＴＢに通知される。
【００３１】
続いて、提供指示受付部１１は、玉提供指示と対応する固有の玉提供用認証情報を作成し（ステップ１０３）、提供先利用者Ａの提供先携帯端末ＴＡへ送信する（ステップ１０４）。認証情報は、パスワードやＩＤなどの一般的な文字情報からなり、台間機Ｄから通知された玉供給要求の正当性を確認するための情報である。認証情報については、盗み見による不正使用に対するセキュリティ性を高めるため、暗号化してもよく、ＱＲコード（登録商標）やバーコード化してもよい。
【００３２】
提供先利用者Ａの提供先携帯端末ＴＡは、貯玉管理装置１０からの認証情報を受信して画面表示し（ステップ１０５）、これに応じて提供先利用者Ａは、画面表示された認証情報を台間機ＤＡに操作入力する（ステップ１０６）。この際、認証情報が文字情報であれば、台間機ＤＡの操作ボタンにより入力すればよく、ＱＲコードやバーコードであれば、台間機ＤＡのカメラにより認識させればよい。
【００３３】
台間機ＤＡは、このような認証情報の入力に応じて、認証情報を含む玉供給要求を貯玉管理装置１０へ通知する（ステップ１０７）。
貯玉管理装置１０の貯玉提供部１２は、台間機ＤＡからの玉供給要求に応じて、通知された認証情報の正当性を確認する（ステップ１０８）。ここで、認証情報の正当性が確認できなかった場合、貯玉提供部１２は、台間機ＤＡに対して認証エラーを通知し、一連の貯玉提供動作を終了する。
【００３４】
一方、認証情報の正当性が確認された場合、貯玉提供部１２、認証情報に対応する玉提供指示の内容に基づいて、提供元利用者Ｂの個人口座のうちから予め拘束しておいた貯玉の提供数分を払い出し（ステップ１０９）、台間機ＤＡに対して提供数を含む玉供給指示を通知する（ステップ１１０）。
この玉供給指示に応じて、台間機ＤＡは、投入されている提供先利用者Ａの会員カードに記録されている玉数残高を、指定された提供数だけ加算し（ステップ１１１）、一連の貯玉提供動作を終了する。
【００３５】
これにより、提供元利用者Ｂからの玉提供指示に応じて、提供元利用者Ｂの貯玉が提供先利用者Ａの台間機ＤＡへ提供されたことになり、台間機ＤＡからパチンコ機ＰＡに供給された遊技玉により、提供先利用者Ａが遊技することが可能となる。
【００３６】
なお、提供元利用者Ｂの個人口座のうち提供数分の貯玉を拘束する必要がない場合には、ステップ１０２を省くとともに、ステップ１０９において提供元利用者Ｂの個人口座から提供数分の貯玉を払い出しすればよい。この際、貯玉数が提供数に満たない場合には、処理エラーとして一連の貯玉提供動作を終了すればよい。
【００３７】
［第１の実施の形態の効果］
このように、本実施の形態は、貯玉管理装置１０において、提供指示受付部１１が、提供元携帯端末ＴＢから通知された玉提供指示を受け付けて、玉提供指示と対応する玉提供用認証情報を作成して提供先携帯端末ＴＡへ通知し、貯玉提供部１２が、台間機ＤＡから通知された玉提供用認証情報の正当性が確認された場合、玉提供用認証情報と対応する玉提供指示の内容に基づいて、提供元利用者Ｂの個人口座に保管されている貯玉のうちから、指定された提供数分の貯玉を払い出し、新たな持玉として台間機ＤＡへ供給するようにしたものである。
【００３８】
これにより、提供元利用者Ｂが、提供元携帯端末ＴＢを操作して玉提供指示を通知し、提供先利用者Ａが、提供先携帯端末ＴＡに通知された玉提供用認証情報を台間機ＤＡに入力するという、極めて簡素な操作で、提供元利用者Ｂの貯玉が提供先利用者Ａに提供されることになる。また、提供元利用者Ｂが提供先利用者Ａと同じ遊技店にいない場合でも、玉提供指示を通知することができる。
したがって、少ない利用者負担により貯玉を利用者間でやり取りすることが可能となる。このため、利用者の利便性が大幅に改善され、結果として遊技店における稼働率を向上することが可能となる。
【００３９】
また、本実施の形態において、提供指示受付部１１が、玉提供指示を受け付けた際、提供元利用者Ｂの個人口座のうちから提供数分の貯玉を提供用貯玉として予め拘束し、貯玉提供部１２は、貯玉を台間機ＤＡへ供給する際、提供元利用者Ｂの個人口座に保管されている貯玉のうちから、提供用貯玉として拘束しておいた貯玉を払い出して台間機ＤＡへ供給するようにしてもよい。
これにより、指定された提供数分の貯玉が実際に提供先利用者Ａに対して提供されるまで利用禁止状態となるため、実際の提供タイミングまでの間に貯玉残高が減って指定された提供数分を提供できなくなることを回避できる。
【００４０】
［第２の実施の形態］
次に、図３を参照して、本発明の第２の実施の形態にかかる貯玉提供システム２について説明する。図３は、第２の実施の形態にかかる貯玉提供システムの構成を示すブロック図である。
第１の実施の形態では、玉提供用認証情報を用いて貯玉を利用者間でやり取りする場合を例として説明した。本実施の形態では、利用者の個人口座間で貯玉をやり取りする場合について説明する。
【００４１】
この貯玉提供システム２は、パチンコ機Ｐが設置されている遊技店に導入されて、各利用者がそれぞれ個人口座に保管した貯玉を、利用者間でやり取りするためのシステムであり、貯玉管理装置２０、利用者管理装置３０、および複数の台間機Ｄとから構成されている。
【００４２】
台間機Ｄは、遊技店のパチンコ機Ｐごとに併設されている台間機であり、このうち台間機ＤＡは、貯玉の提供先となる提供先利用者Ａが遊技中のパチンコ機ＰＡに併設された台間機を示している。
【００４３】
携帯端末Ｔは、各利用者が利用する携帯端末であり、このうち提供先携帯端末ＴＡは、貯玉の提供先となる提供先利用者Ａが利用する携帯端末、提供元携帯端末ＴＢは、貯玉の提供元となる提供元利用者Ｂが利用する携帯端末を示している。これら携帯端末Ｔは、携帯通信網やインターネットからなる通信網ＮＷを介して貯玉管理装置２０および利用者管理装置３０とデータ通信する機能を有している。
【００４４】
貯玉管理装置２０は、遊技店に設置されたサーバ装置からなり、通信回線Ｌ１を介して各台間機Ｄと接続されているとともに、通信回線Ｌ２を介して通信網ＮＷと接続されている。
【００４５】
貯玉管理装置２０には、貯玉管理機能として、予め登録された利用者ごとに作成した個人口座を用いて、利用者の持玉を貯玉として保管する機能と、台間機Ｄで貯玉再利用操作が行われた場合、台間機Ｄに投入されている利用者カードのカード情報に基づいて、利用者の個人口座に保管されている貯玉を台間機Ｄへ新たな持玉として供給する機能とが設けられている。
【００４６】
本実施の形態は、このような貯玉管理装置２０に、貯玉提供機能を実現する機能部として、提供指示受付部２１と貯玉提供部２２とを新たに設けたものである。
【００４７】
提供指示受付部２１は、利用者管理装置３０からの玉提供指示を受け付けて、玉提供指示で指定された提供元利用者Ｂと提供先利用者Ａとの個人口座間で貯玉を転送するための転送用口座を作成する機能と、提供元利用者Ｂの個人口座に保管されている貯玉のうちから提供数分の貯玉を転送用口座へ移動させる機能と、転送用口座に対する貯玉の移動完了に応じて玉提供受付完了を利用者管理装置３０へ通知する機能とを有している。
【００４８】
貯玉提供部２２は、提供先携帯端末ＴＡから通知された玉供給要求に応じて、転送用口座から提供先利用者Ａの個人口座へ、提供数分の貯玉を移動させる機能と、提供先利用者Ａの個人口座に保管された貯玉を払い出して、提供先利用者Ａの台間機ＤＡへ新たな持玉として供給する機能を有している。
【００４９】
利用者管理装置３０は、遊技店に設置されたサーバ装置からなり、通信回線Ｌ３を介して貯玉管理装置２０と接続されているとともに、通信回線Ｌ４を介して通信網ＮＷと接続されている。
利用者管理装置３０には、利用者間で貯玉を提供する際に、利用者のそれぞれが使用する携帯端末と間で提供に関する各種情報をやり取りする機能が設けられている。
【００５０】
本実施の形態は、このような利用者管理装置３０に、貯玉提供機能を実現する機能部として、提供依頼通知部３１と玉提供指示部３２とを新たに設けたものである。
【００５１】
提供依頼通知部３１は、提供先携帯端末ＴＡから通知された、提供先利用者Ａ、提供元利用者Ｂ、および提供数を含む玉提供要求に応じて、提供元利用者Ｂの提供元携帯端末ＴＢへ玉提供依頼を通知する機能を有している。
玉提供指示部３２は、提供元携帯端末ＴＢから通知された玉提供受諾に応じて、提供先利用者Ａ、提供元利用者Ｂ、および提供数を含む玉提供指示を貯玉管理装置２０へ通知する機能と、貯玉管理装置２０から通知された玉提供受付完了を、提供先携帯端末ＴＡへ通知する機能とを有している。
【００５２】
なお、本実施の形態では、貯玉管理装置２０と利用者管理装置３０とを別個の装置で実現した場合を例として説明するが、これに限定されるものではない。例えば、貯玉管理装置２０と利用者管理装置３０とを１つの装置で実現してもよく、これら貯玉管理装置２０および利用者管理装置３０に設けられている機能部を、データ通信可能に接続された３つ以上の装置で実現してもよい。
【００５３】
［第２の実施の形態の動作］
次に、図４を参照して、本実施の形態にかかる貯玉提供システム２の動作について説明する。図４は、第２の実施の形態にかかる貯玉提供動作を示すシーケンス図である。
ここでは、提供先利用者Ａがパチンコ機ＰＡで遊技中に、提供元利用者Ｂから貯玉を提供してもらう場合を例として説明する。
【００５４】
なお、貯玉管理装置２０および利用者管理装置３０と提供先携帯端末ＴＡおよび提供元携帯端末ＴＢとの間でやり取りする各種情報については、一般的なメールやメッセージを用いるほか、貯玉管理装置２０や利用者管理装置３０のＷＥＢサービスを利用してもよく、さらには予め提供先携帯端末ＴＡや提供元携帯端末ＴＢに登録しておいた専用アプリを利用してもよい。
【００５５】
まず、提供先利用者Ａは、提供先携帯端末ＴＡを操作して、提供先利用者Ａ、提供元利用者Ｂ、および提供数を含む玉提供要求を、利用者管理装置３０へ送信する（ステップ２００）。
利用者管理装置３０の提供依頼通知部３１は、提供先携帯端末ＴＡから通知された玉提供要求に応じて、提供元利用者Ｂの提供元携帯端末ＴＢへ玉提供依頼を通知する（ステップ２０１）。
【００５６】
これに応じて、提供元利用者Ｂは、この玉提供依頼を提供元携帯端末ＴＢで受け取って貯玉の提供可否を判断し、玉提供依頼を受諾する場合には、提供元携帯端末ＴＢを操作して玉提供受諾を返送する（ステップ２０２）。
【００５７】
利用者管理装置３０の玉提供指示部３２は、提供元携帯端末ＴＢから通知された玉提供受諾に応じて、提供先利用者Ａ、提供元利用者Ｂ、および提供数を含む玉提供指示を貯玉管理装置２０へ通知する（ステップ２０３）。
【００５８】
貯玉管理装置２０の提供指示受付部２１は、利用者管理装置３０からの玉提供指示を受け付けて、玉提供指示で指定された提供元利用者Ｂと提供先利用者Ａとの個人口座間で貯玉を転送するための転送用口座を作成して（ステップ２０４）、提供元利用者Ｂの個人口座に保管されている貯玉のうちから提供数分の貯玉を転送用口座へ移動させ（ステップ２０５）、転送用口座に対する貯玉の移動完了に応じて玉提供受付完了を利用者管理装置３０へ通知する（ステップ２０６）。
【００５９】
利用者管理装置３０の玉提供指示部３２は、貯玉管理装置２０から通知された玉提供受付完了を、提供先携帯端末ＴＡへ通知する（ステップ２０７）。
これにより、提供先利用者Ａは、この玉提供受付完了を提供先携帯端末ＴＡで受け取って貯玉の提供可を確認し、提供先携帯端末ＴＡを操作して、玉供給要求を貯玉管理装置２０に通知する（ステップ２１０）。
なお、提供先利用者による玉供給要求の確認が不要な場合、ステップ２０６−２１０を省いてもよい。
【００６０】
貯玉管理装置２０の貯玉提供部２２は、提供先携帯端末ＴＡから通知された玉供給要求に応じて、転送用口座から提供先利用者Ａの個人口座へ、提供数分の貯玉を移動させた後（ステップ２１１）、提供先利用者Ａの個人口座に保管された貯玉を払い出し（ステップ２１２）、台間機ＤＡ、さらには提供先携帯端末ＴＡや提供元携帯端末ＴＢに対して提供数を含む玉供給指示を通知する（ステップ２１３）。
この玉供給指示に応じて、台間機ＤＡは、投入されている提供先利用者Ａの会員カードに記録されている玉数残高を、指定された提供数だけ加算し（ステップ２１４）、一連の貯玉提供動作を終了する。
【００６１】
これにより、提供先利用者Ａからの玉提供要求に応じて、提供元利用者Ｂの貯玉が提供先利用者Ａの台間機ＤＡへ提供されたことになり、台間機ＤＡからパチンコ機ＰＡに供給された遊技玉により、提供先利用者Ａが遊技することが可能となる。
【００６２】
一方、提供先携帯端末ＴＡにおいて、玉提供要求を通知してから一定時間内に玉提供受付完了が通知されず、あるいは提供先利用者Ａにより操作に応じて、玉提供中止と判定された場合（ステップ２２０）、提供先携帯端末ＴＡから利用者管理装置３０に対して、玉提供中止指示が通知される（ステップ２２１）。
【００６３】
貯玉提供部２２は、提供先携帯端末ＴＡから通知された玉提供中止指示に応じて、転送用口座に保管されている提供数分の貯玉を、提供元利用者Ｂの個人口座へ返却し（ステップ２２２）、玉提供を中止したことを示す玉提供中止を提供先携帯端末ＴＡや提供元携帯端末ＴＢに通知し（ステップ２２３）、一連の貯玉提供動作を終了する。
【００６４】
なお、転送用口座としては、提供元利用者Ｂと提供先利用者Ａとが共用する共用口座を用いてもよく、玉提供指示に応じて提供元利用者Ｂと提供先利用者Ａの個人口座間で貯玉を転送するためにのみ用いる暫定的な口座を用いてもよい。
特に、暫定的な口座を用いる場合、貯玉管理装置２０において、提供指示受付部２１が、利用者管理装置３０からの玉提供指示を受け付けて玉提供指示に対応する転送用口座を新規に作成し、貯玉提供部２２が、提供先利用者Ａの個人口座に対する貯玉の移動完了に応じて転送用口座を削除すればよい。
【００６５】
［第２の実施の形態の効果］
このように、本実施の形態は、利用者管理装置３０において、提供依頼通知部３１が、提供先携帯端末ＴＡからの玉提供要求に応じて提供元利用者Ｂの提供元携帯端末ＴＢへ玉提供依頼を通知し、玉提供指示部３２が、提供元携帯端末ＴＢからの玉提供受諾に応じて玉提供指示を貯玉管理装置２０へ通知し、貯玉管理装置２０において、提供指示受付部２１が、利用者管理装置３０からの玉提供指示を受け付けて転送用口座を作成し、提供元利用者Ｂの個人口座から提供数分の貯玉を転送用口座へ移動させ、貯玉提供部２２が、提供先携帯端末ＴＡからの玉供給要求に応じて、転送用口座から提供先利用者Ａの個人口座へ提供数分の貯玉を移動させ、提供先利用者Ａの個人口座に保管された貯玉を払い出して、提供先利用者Ａの台間機ＤＡへ供給するようにしたものである。
【００６６】
これにより、提供元利用者Ｂが、提供元携帯端末ＴＢを操作して玉提供要求を通知し、提供先利用者Ａが、提供先携帯端末ＴＡに通知された玉提供依頼に対して玉提供受諾を返送するという、極めて簡素な操作で、提供元利用者Ｂの貯玉が提供先利用者Ａに提供されることになる。また、提供元利用者Ｂが提供先利用者Ａと同じ遊技店にいない場合でも、玉提供受諾を返送することができる。
したがって、少ない利用者負担により貯玉を利用者間でやり取りすることが可能となる。このため、利用者の利便性が大幅に改善され、結果として遊技店における稼働率を向上することが可能となる。
【００６７】
また、第１の実施の形態で説明した玉提供用認証情報を用いて貯玉を利用者間でやり取りするのではなく、利用者の個人口座間で貯玉をやり取りするようにしたので、貯玉のやり取りが貯玉管理装置２０で処理されることになる。このため、より高いセキュリティ性を確保することが可能となる。
【００６８】
また、本実施の形態において、提供指示受付部２１が、転送用口座に対する貯玉の移動完了に応じて玉提供受付完了を玉提供指示部３２へ通知し、玉提供指示部３２が、提供指示受付部２１から通知された玉提供受付完了を、提供先携帯端末ＴＡへ通知し、貯玉提供部２２が、玉提供受付完了に応じて提供先携帯端末ＴＡから通知された玉供給要求に応じて、転送用口座から提供先利用者の個人口座へ提供数分の貯玉を移動させるようにしてもよい。
これにより、提供元利用者の個人口座から転送用口座へ貯玉を移動させた後、提供先利用者Ａの個人口座へ提供数分の貯玉を移動させる際、提供先利用者Ａによる玉供給の必要性を再度確認し、必要時にのみ玉提供を実行することができる。
【００６９】
また、本実施の形態において、貯玉提供部２２が、提供先携帯端末ＴＡから通知された玉提供中止指示に応じて、転送用口座に保管されている提供数分の貯玉を、提供元利用者この個人口座へ返却するようにしてもよい。
これにより、玉提供要求を通知してから一定時間内に玉提供受付完了が通知されない場合や、提供先利用者Ａにより玉提供中止操作があった場合には、提供元利用者Ｂの貯玉を元に戻すことができ、玉提供中止の場合でも貯玉を紛失することなく適切に対応することができる。
【００７０】
また、本実施の形態において、転送用口座として、提供元利用者と提供先利用者とが共用する共用口座を用いてもよい。これにより、新たな口座を作成する必要がない。
また、本実施の形態において、転送用口座として、玉提供指示に応じて提供元利用者と提供先利用者の個人口座間で貯玉を転送するためにのみ用いる暫定的な口座を用い、提供指示受付部２１が、利用者管理装置３０からの玉提供指示を受け付けて玉提供指示に対応する転送用口座を新規に作成し、貯玉提供部２２が、提供先利用者の個人口座に対する貯玉の移動完了に応じて転送用口座を削除するようにしてもよい。これにより、既存の口座を用いる必要がなくなり、高い安全性を得ることができる。
【００７１】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００７２】
１…貯玉提供システム、１０…貯玉管理装置、１１…提供指示受付部、１２…貯玉提供部、２０…貯玉管理装置、２１…提供指示受付部、２２…貯玉提供部、３０…利用者管理装置、３１…提供依頼通知部、３２…玉提供指示部、Ｐ，ＰＡ…パチンコ機、Ｄ，ＤＡ…台間機、Ａ…提供先利用者、Ｂ…提供元利用者、ＴＡ…提供先携帯端末、ＴＢ…提供元携帯端末、ＮＷ…通信網、Ｌ１，Ｌ２，Ｌ３，Ｌ４…通信回線。
【図１】
0006575430.tif 000002
【図２】
0006575430.tif 000003
【図３】
0006575430.tif 000004
【図４】
0006575430.tif 000005